(57)【要約】【課題】シールリングの係止部の膨潤を抑えてシール機能を維持する。【解決手段】相手ハウジング４０が内側に嵌合されるフード部１５を備えたハウジング１０と、フード部１５の内周に装着され相手ハウジング４０との間をシールするシールリング３０と、が具備され、このシールリング３０の外周に張り出し形成された係止部３５が、フード部１５の周壁２０に開口された係止孔２２に嵌合されることで、シールリング３０が抜け止めされるようになっている。シールリング３０の係止部３５と係止孔２２との間には、係止部３５が係止孔２２の外面開口から突出することを規制する突出規制手段３７が設けられている。【選択図】図２
2013242990.tif 000002
【特許請求の範囲】
【請求項１】
相手ハウジングが内側に嵌合されるフード部を備えたハウジングと、前記フード部の内周に装着され前記相手ハウジングとの間をシールするシールリングと、が具備され、
このシールリングの外周に張り出し形成された係止部が、前記フード部の周壁に開口された係止孔に嵌合されることで、前記シールリングが抜け止めされるようにした防水コネクタにおいて、
前記シールリングの前記係止部と前記係止孔との間には、前記係止部が前記係止孔の外面開口から突出することを規制する突出規制手段が設けられていることを特徴とする防水コネクタ。
【請求項２】
前記係止部の側面には、前記係止孔の対向した側壁に対して弾縮して密着する突部が設けられていることで前記突出規制手段が構成されていることを特徴とする請求項１記載の防水コネクタ。
【請求項３】
前記係止孔の側壁には、前記係止部の対向した側面に食い込む食い込み突部が形成されていることで前記突出規制手段が構成されていることを特徴とする請求項１記載の防水コネクタ。
【発明の詳細な説明】
【技術分野】
【０００１】
本発明は、アウタシールタイプの防水コネクタに関する。
【背景技術】
【０００２】
この種の防水コネクタの一例として、下記特許文献１に記載のものが知られている。このものは、フード部を有する一のハウジングと、同フード部内に嵌合される他のハウジングとが備えられるとともに、一のハウジングのフード部の奥側の内周面にシールリングが嵌着され、両ハウジングが嵌合されることに伴い、シールリングがフード部の内周面と、他のハウジングの外周面との間で弾縮されつ挟持されることで、両ハウジング間がシールされる。  
一方、両ハウジングが離脱される場合には、シールリングが他のハウジングとの間の摩擦係合によって、他のハウジングに連れて抜けるおそれがある。そのため当該特許文献１では、シールリングの外周面に例えば左右一対の係止部を張り出し形成し、同係止部を、フード部の周壁に開口された係止孔に嵌めることで、シールリングが他のハウジングの離脱に連れて抜けることが防止されるようになっている。
【先行技術文献】
【特許文献】
【０００３】
【特許文献１】特開平８−１７１９５６号公報
【発明の概要】
【発明が解決しようとする課題】
【０００４】
ところで、上記のような防水コネクタが、ガソリン中に浸漬された形態で使用されることがある。その場合、シールリングにおける係止孔に嵌った係止部にガソリンが次第に含浸されて、係止部が係止孔の外側に突出するように膨潤する。膨潤量が大きくなると、シールリングにおける係止部の形成位置の内周面（リップ）が、引き上げられて相手のハウジングの外周面から浮くようになり、両ハウジング間のシール機能に支障が出るおそれがあった。  
本発明は上記のような事情に基づいて完成されたものであって、その目的は、シールリングの係止部の膨潤を抑えてシール機能を維持するところにある。
【課題を解決するための手段】
【０００５】
本発明は、相手ハウジングが内側に嵌合されるフード部を備えたハウジングと、前記フード部の内周に装着され前記相手ハウジングとの間をシールするシールリングと、が具備され、このシールリングの外周に張り出し形成された係止部が、前記フード部の周壁に開口された係止孔に嵌合されることで、前記シールリングが抜け止めされるようにした防水コネクタにおいて、前記シールリングの前記係止部と前記係止孔との間には、前記係止部が前記係止孔の外面開口から突出することを規制する突出規制手段が設けられているところに特徴を有する。
【０００６】
シールリングにおける係止孔に嵌った係止部にガソリン等の液分が含浸されることで、係止部は係止孔の外側に突出するように膨潤しようとするが、突出規制手段によって係止部が外側に突出することが規制される。これにより、シールリングにおける係止部の形成位置の内周側が引き上げられることが規制されて、相手ハウジングの外周との間の密着性が保たれ、ひいては両ハウジング間のシール機能が維持される。
【０００７】
また、以下のような構成としてもよい。  
（１）前記係止部の側面には、前記係止孔の対向した側壁に対して弾縮して密着する突部が設けられていることで前記突出規制手段が構成されている。  
シールリングの係止部の側面の突部が係止孔の対向した側壁に弾縮して密着することによって生じる摩擦抵抗により、係止部が係止孔の外面開口から突出することが規制される。係止孔側すなわちハウジング側の形状変更を伴うことなく対応できる。
【０００８】
（２）前記係止孔の側壁には、前記係止部の対向した側面に食い込む食い込み突部が形成されていることで前記突出規制手段が構成されている。  
係止孔の側壁に設けられた食い込み突部が、シールリングの係止部の対向した側面に食い込んで係止することにより、係止部が係止孔の外面開口から突出することが規制される。係止部側すなわちシールリング側の形状変更を伴うことなく対応できる。
【発明の効果】
【０００９】
本発明によれば、シールリングの係止部の膨潤を抑えてシール機能を維持することができる。
【図面の簡単な説明】
【００１０】
【図１】本発明の実施形態１に係る雄雌のハウジングの嵌合前の平断面図
【図２】シールリングを雄ハウジングに装着する動作を示す平断面図
【図３】シールリングの背面図
【図４】同側面図
【図５】雄雌のハウジングが嵌合された状態の平断面図
【図６】その斜視図
【図７】実施形態２に係るシールリングを雄ハウジングに装着する動作を示す平断面図
【図８】シールリングが装着された雄ハウジングの平断面図
【発明を実施するための形態】
【００１１】
＜実施形態１＞
本発明の実施形態１を図１ないし図６によって説明する。  
本実施形態の防水コネクタは、図１に示すように、互いに嵌合される合成樹脂製の雄ハウジング１０と雌ハウジング４０とを備えている。なお以下では、各ハウジング１０，４０について、嵌合端側を前方として説明する。
【００１２】
雄ハウジング１０は、図２に示すように、概ねブロック状をなすハウジング本体１１の前面に、ハウジング本体１１よりも一回り大きい外形をなす前面開口のフード部１５が連ねて形成された形状である。ハウジング本体１１には、前後両面に開口した図示６個のキャビティ１２が、３個ずつ上下二段に整列して形成されている。各キャビティ１２には、電線の端末に接続された雄端子（図示せず）が後方から挿入され、正規位置まで挿入されたところで、タブをフード部１５内に突出させた形態でキャビティ１２内にランス（図示せず）により抜け止めされて収容される。このとき、雄端子の後方に装着されたゴム栓（図示せず）が、それぞれ各キャビティ１２の入口に嵌着されるようになっている。
【００１３】
フード部１５は、図６に参照して示すように、方形の各辺並びに各角に丸みが付けられた筒状に形成されており、かつ同フード部１５の奥端の所定領域が縮径された段付き状に形成されている。このフード部１５の奥端における縮径された内周面が、後記するシールリング３０の装着面１６となっている（図１参照）。
【００１４】
雌ハウジング４０は概ねブロック状をなし、その前側の大半部分が、上記した雄ハウジング１０のフード部１５内に嵌合可能となっている。この雌ハウジング４０の前端部の外周面は縮径され、この縮径された外周面が、フード部１５の奥端の装着面１６との間に所定間隔を開けて対向したシール面４１となっている。
【００１５】
雌ハウジング４０の内部には、前後両面に開口した図示６個のキャビティ４２が、雄ハウジング１０側のキャビティ１２と対応した配列で形成されている。各キャビティ４２内には、電線の端末に接続された雌端子（図示せず）が後方から挿入され、正規位置まで挿入されたところで、ランス（図示せず）により抜け止めされて収容され、併せて雌端子の後方に装着されたゴム栓（図示せず）がキャビティ４２の入口に嵌着されるようになっている。
【００１６】
雄ハウジング１０のフード部１５内における装着面１６には、図１に示すように、シールリング３０が装着されるようになっている。このシールリング３０は例えばシリコーンゴム製であって、図２ないし図４に示すように、方形の各辺並びに各角に丸みが付けられた環状に形成されている。  
シールリング３０の外周面には、図示３条の外周リップ３１Ａ，３１Ｂが全周に亘って形成されている。３条の外周リップ３１Ａ，３１Ｂのうち、中央幅位置の外周リップ３１Ａは突出面が円弧状であり、幅方向の両端の外周リップ３１Ｂは、突出面が平面状である。  
また、シールリング３０の内周面には、中央幅位置において、図示２条の内周リップ３２が全周に亘って形成されている。
【００１７】
シールリング３０は、上記したように、雄ハウジング１０のフード部１５の奥端に設定された装着面１６に装着されるが、同シールリング３０が装着面１６から前側に外れることを防ぐための抜け止め手段が設けられている。  
抜け止め手段について説明する。雄ハウジング１０のフード部１５の左右側面には、縮径された外周面の前縁領域、言い換えると上記した装着面１６における前縁領域の外側に対応する所定幅領域において、肉盛りされて厚肉となった形態で縦長の係止壁部２０が形成されている。  
この係止壁部２０には、縦長の係止孔２２が、内外面に亘って貫通した形態で形成されている。
【００１８】
一方、シールリング３０における前側の外周リップ３１Ｂの左右の辺にはそれぞれ、上記した係止壁部２０に開口された各係止孔２２に嵌合する縦長の係止部３５が張り出し形成されている。各係止部３５は、係止孔２２の外面開口よりも少し内側に留まる程度の背丈を有している。
【００１９】
そして、上記の係止部３５における基端側の外周面には、図示２本の突条３７が全周に亘って形成されている。各突条３７の自然状態における外径寸法は、係止孔２２の周面の内径寸法よりも所定量大きく設定されている。これにより、本発明の突出規制手段が構成されている。
【００２０】
なお、雄ハウジング１０のフード部１５の上面には、被ロック部（図示せず）が、ガイド部１８で覆われた形態で設けられている一方、雌ハウジング４０の上面には、両ハウジング１０，４０が正規嵌合した場合に上記の被ロック部に係止するロックアーム４５が、弾性的に揺動変位可能に設けられている（図６参照）。
【００２１】
続いて、本実施形態の作用及び効果を説明する。  
雄ハウジング１０側では、図２に示すように、シールリング３０がフード部１５内に前面開口から挿入され、左右の係止部３５が、左右の係止壁部２０に形成された係止孔２２に内側から嵌められつつフード部１５の奥面に当てられる。左右の係止部３５は、外周の突条３７を弾縮させつつ係止孔２２内に押し込まれて嵌められる。これによりシールリング３０が装着面１６に密着して装着された形態となる。それとともに、雄ハウジング１０の各キャビティ１２内に雄端子が抜け止めされて収容され、併せてキャビティ１２の入口がゴム栓で止水される。  
雌ハウジング４０側では、各キャビティ４２内に雌端子が抜け止めされて収容され、併せてキャビティ４２の入口がゴム栓で止水される。
【００２２】
上記のように雄雌のハウジング１０，４０が組み付けられたら、図１の矢線に示すように、雌ハウジング４０が雄ハウジング１０のフード部１５内に前方から嵌合される。嵌合の終盤では、雌ハウジング４０の前端部のシール面４１が、シールリング３０の内周側に進入して同シールリング３０を厚さ方向に弾縮しつつ押し込まれる。図５に示すように、雌ハウジング４０の前面がフード部１５の奥面に当たる正規位置まで押し込まれると、ロックアーム４５が被ロック部に弾性的に係止することで雄雌のハウジング１０，４０が正規嵌合状態に保持される。
【００２３】
この正規嵌合状態では、対応する雄雌の端子金具同士が嵌合接続される。それとともに、シールリング３０の外周リップ３１Ａ，３１Ｂが弾縮しつつフード部１５の装着面１６の全周に亘って密着され、また内周リップ３２が弾縮しつつ雌ハウジング４０のシール面４１に全周に亘って密着され、雄雌のハウジング１０，４０間のシールが取られることになる。
【００２４】
また、メンテナンス等において、雄雌のハウジング１０，４０を離脱させる場合は、ロックアーム４５の操作部４６（図６）を押して同ロックアーム４５を強制的に弾性変位させることで、被ロック部に対する係止を解除し、引き続いて後方に引っ張ることでフード部１５内から引き抜かれる。このとき、シールリング３０の内周リップ３２と雌ハウジング４０のシール面４１との間の摩擦係合により、シールリング３０が雌ハウジング４０の引き抜きに連れて、一緒に外れるおそれがあるが、シールリング３０の左右の辺に張り出し形成された係止部３５が、フード部１５の左右の係止壁部２０に開口された係止孔２２に嵌って係止されていることにより、シールリング３０は前方に外れることなく、装着面１６上に装着された状態に保たれる。
【００２５】
さて、上記のように雄雌のハウジング１０，４０が正規嵌合された防水コネクタが、ガソリン中に浸漬された形態で使用されることがある。その場合、シールリング３０に張り出し形成された係止部３５は、係止孔２２に嵌って外面に露出した状態にあるため、係止部３５にガソリンが次第に含浸されて、係止部３５は係止孔２２の外側に突出するように膨潤しようとする。
【００２６】
しかしながら本実施形態では、シールリング３０の係止部３５の基端部の外周に突条３７が形成され、同突条３７が係止孔２２の周面との間で弾縮されて密着した形態で係止孔２２内に嵌合されているから、その間に生じる摩擦抵抗によって、係止部３５が係止孔２２の外面開口から突出することが規制される。これにより、シールリング３０における係止部３５の形成位置の内周側が引き上げられる量が小さく留められ、その結果、内周リップ３２が雌ハウジング４０の前端部外周のシール面４１に接触した状態に維持され、雄雌のハウジング１０，４０間のシールを全周に亘って取ることができる。
【００２７】
本実施形態では特に、係止孔２２側すなわち雄ハウジング１０側の形状変更を伴うことなく対応できる。  
なお、シールリング３０の係止部３５は係止孔２２内にいわば圧入された状態で嵌められているのであるから、同係止部３５が係止孔２２から内側に抜け難い構造となっており、したがって、シールリング３０が雌ハウジング４０の離脱に連れて一緒に前方に外れることを係止する係止力も増大される。
【００２８】
＜実施形態２＞
次に、本発明の実施形態２を図７及び図８によって説明する。この実施形態２では、突出規制手段の別の例が示されている。以下には、上記実施形態１との相違点を主に説明し、実施形態１と同一機能を有する部位等については、同一符号を付すことで説明を省略または簡略化する。
【００２９】
実施形態２のシールリング５０では、左右の係止部３５について、実施形態１に示した突条が形成されていない。この係止部３５の形状は、既存のシールリングに設けられた係止部と同じ形状である。  
一方、雄ハウジング１０のフード部１５の左右両側面に形成された係止孔２２側では、後側の側面の基端部に、シールリング５０の上記した係止部３５の対向した後側の側面に食い込む食い込み突部５５が、ほぼ全高すなわち係止孔２２の縦方向の長さのほぼ全長に亘って形成されている。これにより、本発明の突出規制手段が構成されている。
【００３０】
この実施形態２によれば、シールリング５０はフード部１５内に前面開口から挿入され、左右の係止部３５が、左右の係止壁部２０に形成された係止孔２２に内側から嵌められつつフード部１５の奥面に当てられる。このとき左右の係止部３５は、弾性変形しつつ食い込み突部５５を超えて押し込まれ、正規位置まで押し込まれたところで、食い込み突部５５が係止部３５の後側の側面における基端部にほぼ全高に亘って食い込んだ形態となる。なお、係止部３５の表面が、係止孔２２の外面開口の直ぐ内側にあることが目視できれば、係止部３５が正規位置まで押し込まれたことが確認できる。
【００３１】
この実施形態２では、係止部３５にガソリンが次第に含浸されて、係止部３５が係止孔２２の外側に突出するように膨潤しようとした場合に、係止孔２２の後側の側面から突出形成された食い込み突部５５が、シールリング５０の係止部３５の対向した後側の側面に食い込んで係止することにより、係止部３５が係止孔２２の外面開口から突出することが規制される。これにより、シールリング５０における係止部３５の形成位置の内周側が引き上げられる量が小さく留められ、その結果、内周リップ３２が雌ハウジング４０の前端部外周のシール面４１に接触した状態に維持され、雄雌のハウジング１０，４０間のシールを全周に亘って取ることができる。
【００３２】
本実施形態で特に、係止部３５側すなわちシールリング５０側の形状変更を伴うことなく対応できる。  
また、シールリング５０の係止部３５は食い込み突部５５を食い込ませつつ係止孔２２内に押し込まれているのであるから、同係止部３５が係止孔２２から内側に抜け難い構造となっており、したがって同様に、シールリング５０が雌ハウジング４０の離脱に連れて一緒に前方に外れることを係止する係止力も増大される。
【００３３】
＜他の実施形態＞
本発明は上記記述及び図面によって説明した実施形態に限定されるものではなく、例えば次のような実施形態も本発明の技術的範囲に含まれる。  
（１）実施形態１において、係止部の外周に設ける突条は、所定の摩擦抵抗が得られる限り、係止部の前面または後面の一面だけであってもよい。  
（２）係止部の外周に設ける突部は、突条に限らず、点在する形態の突部であってもよい。  
（３）実施形態２において、食い込み突部は係止孔の前側の側面から突出形成してもよい。  
（４）また、食い込み突部は、突出量の小さいものを、係止孔の前後の側面から向き合うように突出形成してもよい。
【符号の説明】
【００３４】
１０…雄ハウジング（ハウジング）
１５…フード部
１６…装着面
２０…係止壁部（周壁）
２２…係止孔
３０…シールリング
３１Ａ，３１Ｂ…外周リップ
３２…内周リップ
３５…係止部
３７…突条（突部：突出規制手段）
４０…雌ハウジング（相手ハウジング）
４１…シール面
５０…シールリング
５５…食い込み突部（突出規制手段）
【図１】
2013242990.tif 000003
【図２】
2013242990.tif 000004
【図３】
2013242990.tif 000005
【図４】
2013242990.tif 000006
【図５】
2013242990.tif 000007
【図６】
2013242990.tif 000008
【図７】
2013242990.tif 000009
【図８】
2013242990.tif 000010